(57)【要約】【課題】発射力調節装置を操作している遊技時の状態から遊技者が手を離したとき、遊技開始前の状態に軽やかに戻り得るようにした弾球遊技機を提供する。【解決手段】遊技球を発射させる球発射部材と、球発射部材の発射力を調節する発射力調節装置とを有する弾球遊技機において、発射力調節装置は、機前の下方から略水平に突設した操作基台と、底部１６ａと手載せ部１６ｂとを有し定点を中心に首振回動可能な操作部１６と、操作部１６の首振回動によって球発射部材を調節する調節手段と、操作部１６を初期位置に向けて付勢する操作部復動手段と、操作部１６の底部１６ａを操作基台から浮かせて隙間を作る操作部浮揚付勢手段２０とを備え、操作部１６の自重と手の重量によって操作部１６と操作基台とが接触し、操作部１６から手を離した状態では操作部浮揚付勢手段２０の作用により操作部１６と操作基台の間に隙間が形成されるようにした。【選択図】        図８
2010063555.tif 000002
【特許請求の範囲】
【請求項１】
遊技板の遊技領域に向けて遊技球を発射させる球発射部材と、該球発射部材の発射力の強弱を調節する発射力調節装置と、を有する弾球遊技機において、
前記発射力調節装置は、
機前の下方から遊技者側に向けてほぼ水平に突設した操作基台と、
該操作基台の上面に対向する底部とその底部上にあって遊技者が手の平を載せ置くための手載せ部とを有し、定点を中心としたほぼ扇形の軌跡を描く状態で首振り回動可能な操作部と、
該操作部の首振り回動によって前記球発射部材の発射力を強弱させ得る調節手段と、
前記操作部を前記球発射部材の発射動作が停止するよう関連付けられた初期位置に向けて付勢する操作部復動手段と、
前記操作部の底部を前記操作基台の上面から浮かせて底部との間に隙間を形成することが可能な操作部浮揚付勢手段と、を備え、
遊技者が前記操作部に手を載せ置いた遊技時の状態では操作部の自重と遊技者の手の重量によって操作部の底部と操作基台の上面とが接触し、遊技者が操作部から手を離した状態では操作部浮揚付勢手段の作用により操作部の底部と操作基台の上面との間に隙間が形成され、その状態で前記操作部復動手段により操作部が前記初期位置に復動するようになっていることを特徴とする弾球遊技機。
【発明の詳細な説明】
【技術分野】
【０００１】
本発明は、遊技板の遊技領域に遊技球を発射させて遊技を行う弾球遊技機に関する。
【背景技術】
【０００２】
弾球遊技機の一例をパチンコ機について説明する。
周知のようにパチンコ機は、遊技者が遊技板の遊技領域に向けて遊技球（一般に「パチンコ球」という。）を発射させ、その遊技球が遊技領域の入賞口に入った場合に景品として複数個の遊技球を機前の球皿に放出し、一方、遊技球が入賞しなかった場合にその遊技球をアウト球として機裏に排出するものである。
【０００３】
パチンコ機には、遊技板の遊技領域に向けて遊技球を発射させる球発射部材と、該球発射部材の発射力の強弱を調節する発射力調節装置とが設けられている。前記球発射部材は、主として発射レール上に供給した遊技球を一個ずつ打ち出す電動打球槌で構成されており、発射力調節装置は、その電動打球槌の発射力、すなわち電動打球槌の打撃力の強弱を調節する。
【０００４】
前記発射力調節装置は、図１３に示したように機前の下方から遊技者側に向けてほぼ水平に突設したハンドルアーム１０１と、該ハンドルアーム１０１の先端に垂直方向に立ち上げた円形のハンドルグリップ１０２と、このハンドルグリップ１０２の周面に設けた打球発射調整操作用のダイヤル１０３と、を備え、前記ハンドルグリップ１０２の内部に設けた可変抵抗器の電気抵抗値を前記ダイヤル１０３によって適宜変更し、そうして電動打球槌に印加する電圧値を変更して打撃力の強弱を調節する。
【０００５】
【特許文献１】特開平１１−１２８４８８号公報（段落００３７）
【発明の開示】
【発明が解決しようとする課題】
【０００６】
一般に弾球遊技機の発射力調節装置は、遊技者が手で操作している遊技時の状態から手を離したとき、遊技開始前の状態に戻るようになっている。
【０００７】
本発明の目的は、遊技者が発射力調節装置を手で操作している遊技時の状態から遊技者が手を離したとき、遊技開始前の状態に軽やかに戻り得るようにした弾球遊技機を提供することにある。
【課題を解決するための手段】
【０００８】
遊技板の遊技領域に向けて遊技球を発射させる球発射部材と、該球発射部材の発射力の強弱を調節する発射力調節装置と、を有する弾球遊技機において、
前記発射力調節装置は、
機前の下方から遊技者側に向けてほぼ水平に突設した操作基台と、
該操作基台の上面に対向する底部とその底部上にあって遊技者が手の平を載せ置くための手載せ部とを有し、定点を中心としたほぼ扇形の軌跡を描く状態で首振り回動可能な操作部と、
該操作部の首振り回動によって前記球発射部材の発射力を強弱させ得る調節手段と、
前記操作部を前記球発射部材の発射動作が停止するよう関連付けられた初期位置に向けて付勢する操作部復動手段と、
前記操作部の底部を前記操作基台の上面から浮かせて底部との間に隙間を形成することが可能な操作部浮揚付勢手段と、を備え、
遊技者が前記操作部に手を載せ置いた遊技時の状態では操作部の自重と遊技者の手の重量によって操作部の底部と操作基台の上面とが接触し、遊技者が操作部から手を離した状態では操作部浮揚付勢手段の作用により操作部の底部と操作基台の上面との間に隙間が形成され、その状態で前記操作部復動手段により操作部が前記初期位置に復動するようになっている弾球遊技機を提供する。
【発明の効果】
【０００９】
本発明の弾球遊技機の発射力調節装置は、操作部が操作部浮揚付勢手段で支えられている状態では、操作部の底部と操作基台の上面との間に隙間ができるから、操作部復動手段による操作部の復動が軽やかに行える効果がある。
一方、操作部浮揚付勢手段は、操作部の手載せ部に遊技者が手を載せた場合に、その手の重量の増加分に抗しきれずに操作部が下がってその底部と操作基台の上面とを接触させるから、操作部復動手段の付勢に抗して操作部を任意の位置に停止させておくことが容易になる。
【発明を実施するための最良の形態】
【００１０】
以下に本発明の実施の形態を弾球遊技機の一例たるパチンコ機を例に図面を参照しつつ説明する。なお、図１はパチンコ機の斜視図、図２はパチンコ機の要部を示す部分正面図、図３は発射力調節装置と球発射部材を示すためのパチンコ機の要部水平断面図、図４は操作基台の高さの中間を横断するパチンコ機の要部水平断面図、図５は図４の状態から操作部を回動させた状態を示すパチンコ機の要部水平断面図、図６（ａ），（ｂ）は操作部浮揚付勢手段を説明するためのもので操作部と操作基台の要部を示す縦断面図、図７は発射力調節装置の分解斜視図、図８は操作部の分解斜視図、図９は操作基台内部の部品を示す分解斜視図、図１０は図３のＡ−Ａ線断面図、図１１，図１２は他の形態を示すパチンコ機の要部水平断面図である。
【００１１】
［パチンコ機］
パチンコ機１は、図１，図２に示したように、四角く枠組みした外枠２と、該外枠２の一側上下部に取り付けた蝶番部材３，３と、該蝶番部材３，３により前記外枠２の前面に回動可能に取り付けた前枠４と、を有する。
このパチンコ機１の前枠４の正面には、ガラスや合成樹脂の透明板を装着した窓部５と、その窓部５の下側に突設された球皿６と、が設けられている。
一方、前枠４の裏側には、前記窓部５と対向する位置に装着された遊技板（図示せず）と、遊技球を貯める球タンク７その他の遊技機用機能部品を装着したいわゆる機構板８等が取り付けられている。
また、前記遊技板の正面にはガイドレール（図示せず）で円形に囲った遊技領域が形成されており、その遊技領域が前枠４の前記窓部５を透して遊技者から見えるようになっている。
【００１２】
パチンコ機１は、前記球皿６にある遊技球を遊技者が前記遊技板の遊技領域に向けて発射させ、その遊技球が遊技領域に設けられている入賞口に入った場合に景品として複数個の遊技球を機前の球皿６に放出し、一方、遊技球が入賞しなかった場合にその遊技球をアウト球として前記機構板８を介して機裏に排出するものである。そのためパチンコ機１には、遊技板の遊技領域に向けて遊技球を発射させる球発射部材９と、該球発射部材９の発射力の強弱を調節する発射力調節装置１０とが設けられている。
【００１３】
［球発射部材］
前記球発射部材９は、図２に示したように、遊技板の下側であって該遊技板の前面と面一の垂直面を構成するように前記前枠４の裏側に設けた発射基板１１と、該発射基板１１の前面に固着した発射レール１２と、前記球皿６から発射レール１２上に供給される遊技球を一個ずつ打ち出す電動打球槌１３と、により概略構成される。
【００１４】
［球発射部材…電動打球槌］
前記電動打球槌１３は、図２，図３に示したように、前枠４の裏側下方に該前枠４との間に空間１４を設けて固着した支持基板１３ａと、該支持基板１３ａの裏側（反・前枠４側の面）に固着したロータリーソレノイド１３ｂと、支持基板１３ａを貫いて前側（前枠４側の面）に突出させた前記ロータリーソレノイド１３ｂの出力軸１３ｃと、支持基板１３ａと前枠４の間の前記空間１４内で揺動可能なように前記ロータリーソレノイド１３ｂの出力軸１３ｃに取り付けた槌本体１３ｄと、から概略構成される。
【００１５】
この電動打球槌１３は、ロータリーソレノイド１３ｂに電力が供給されないとき、槌本体１３ｄが自重で図２二点鎖線の倒れた位置にある。この状態でロータリーソレノイド１３ｂにパルス状の電圧を印加すると、該ロータリーソレノイド１３ｂのステータの突極（図示せず）が励磁され、ロータの突極若しくは磁極（図示せず）と勢いよく引き合い、その力で出力軸１３ｃが回動し、槌本体１３ｄが図２破線の発射位置に勢いよく変位する。また、パルス状の電圧は、すぐに無くなるためロータリソレノイド１３ｂの前記ステータの突極が消磁し、槌本体１３ｄが自重で図２二点鎖線の倒れた位置に戻る。
【００１６】
電動打球槌１３の槌本体１３ｄの上端にはゴムなどの弾性体やコイルスプリングで形成した打撃部材１３ｅが設けられており、槌本体１３ｄが前記した発射位置に至ったとき該打撃部材１３ｅが発射レール１２の発射位置にある遊技球のほぼ芯を打つ。
【００１７】
［発射力調節装置］
前記のように槌本体１３ｄで打ち出された遊技球は、発射レール１２から円形のガイドレールを伝って遊技板の遊技領域に飛び込むが、その位置は前記槌本体１３ｄの発射力によって異なる。その槌本体１３ｄの発射力の調節は、前記のように発射力調節装置１０によって行うことができる。
【００１８】
実施形態の発射力調節装置１０は、図１，図７に示したように、機前の下方から遊技者側に向けてほぼ水平に突設した操作基台１５と、該操作基台１５の上面に位置し該操作基台１５上に設定した定点Ｐ（具体的には後述する軸孔２２の中心（図３参照））を中心としたほぼ扇形の軌跡を描く状態で首振り回動可能な操作部１６と、該操作部１６の前記首振り回動によって前記球発射部材９の発射力を強弱させ得る調節手段１７と、前記操作部１６を前記球発射部材９の発射動作が停止するよう関連付けられた初期位置に向けて付勢する操作部復動手段１８と、前記操作部１６を前記操作基台１５の上面から浮かせて隙間１９（図６（ａ），図１０参照）を形成する操作部浮揚付勢手段２０と、を備えている。
【００１９】
［発射力調節装置…操作基台］
前記操作基台１５は、機前の下方、具体的には図２に示したように、前枠４の正面向かって右下にあって、そこから遊技者側に向けてほぼ水平に突設されている。なお、操作基台１５の前枠４を挟んだ裏側には、前記球発射部材９の槌本体１３ｄが位置している。
【００２０】
操作基台１５の平面形状は、図３に示したように、水平な長方形を基本形としてそれを変形させたものであって、該長方形の遊技者に近い方を手前側として、遊技機の正面向かって右側に位置する手前側角部を遊技者側に引っ張って鋭角に変形させると共に、その鋭角の角部に弧状のアール部２１を形成したものになっている。
また、操作基台１５は、図７に示したように、上面部材１５ａと、該上面部材１５ａの下側の周囲を囲う側面部材１５ｂと、該側面部材１５ｂの下側をカバーする底面部材１５ｃと、で構成された中空構造であり、その中空の内部が後述する部品類を組み込むための機構室１５ｄになっている。なお、操作基台１５の前記側面部材１５ｂは、前枠４に接する一辺を除いて上面部材１５ａと一体の内部材１５ｂ−１と、その外側を取り巻いて装飾的にカバーする外部材１５ｂ−２と、の二重構造になっている。
【００２１】
操作基台１５には、上面部材１５ａの前記アール部２１に、前記機構室１５ｄに貫通する円形の軸孔２２と、同じく機構室１５ｄに通じる略角形の連通孔２３とが穿設されている。
また、操作基台１５には、上面部材１５ａに前記軸孔２２を中心とする平面視円弧形で凸状（例えば山形状）に盛り上げた形態の軌道部２４が複数本等間隔且つ波紋状態に並べられている。
【００２２】
また、操作基台１５には、前記軌道部２４の最も外側のものに接するように前記軸孔２２を中心とする弧状長孔２５が穿設されている。この弧状長孔２５の下面には弧状底蓋２６が宛がわれており、その弧状底蓋２６の遊技者に近い側の端部（以下「始端部」ともいう。）の外側に前記電動打球槌１３を作動・停止させるメインスイッチ２７が取り付けられている。また、弧状底蓋２６の始端部には、前記メインスイッチ２７のスイッチ片２７ａを作動させる揺動レバー２８の一端が臨んでいる。
【００２３】
［発射力調節装置…操作部］
前記操作部１６は、あたかも大型の卵をギザギザの切り口にして上下に分割し下側の半分を取り除いたような形態であり、図８に示したように、前記操作基台１５の上面に載る底部１６ａと、その底部１６ａ上にあって遊技者が手掌（しゅしょう…手の平）側を下向きにして手を載せ置くための手載せ部１６ｂと、前記電動打球槌１３を一時的に停止させ得る一時発射停止手段２９と、を有する。
この操作部１６は、底部１６ａと手載せ部１６ｂを別々に樹脂成形してビス１６ｃ（図１０参照）により接合したものであり、その内部に前記一時発射停止手段２９が組み込まれ、さらに前記した操作部浮揚付勢手段２０も組み込まれている。
【００２４】
［発射力調節装置…操作部…底部］
操作部１６の前記底部１６ａは、前記手載せ部１６ｂに対して印籠嵌合可能な上向きの嵌合口部１６ｄと、長手方向の一端に延設した軸基板１６ｅと、長手方向の他端に下向きに突設したＬ型屈曲片１６ｆと、前記操作基台１５の軌道部２４に整合する逆さ凹状の摺動部１６ｇと、を有する。前記軸基板１６ｅには下向きに回動軸１６ｈが突設されており、該回動軸１６ｈが操作基台１５の前記軸孔２２に回動可能な状態に嵌合する。一方、操作部１６の底部１６ａの前記摺動部１６ｇは、前記回動軸１６ｈを中心とする平面視円弧形で複数本等間隔且つ波紋状態に並べられており、従って、該摺動部１６ｇは操作基台１５の軌道部２４と同じく、操作基台１５の上面部材１５ａの前記軸孔２２を中心とする平面視円弧形である。
【００２５】
［発射力調節装置…操作部…手載せ部］
操作部１６の前記手載せ部１６ｂは、遊技者が手掌側を下向きにして手を載せ置くものであって、指先を若干開いた状態の成人男性の片手でほぼ覆える程度の大きさである。
【００２６】
［発射力調節装置…操作部…一時発射停止手段］
前記操作部１６の内部には、電動打球槌１３を一時停止させ得る一時発射停止手段２９が取り付けられている。この一時発射停止手段２９は、手載せ部１６ｂの内側にスイッチ取付部材２９ａを介して取り付けられたサブスイッチ２９ｂと、手載せ部１６ｂの外側上面に片持ち梁状に固定することによって自由端側に弾性を付与した作動片２９ｃと、から概略構成される。そして、作動片２９ｃの自由端側には上面にボタン凸部２９ｄが設けられ、下面にスイッチ押え２９ｅが突設され、図１０の拡大図に示したように、前記スイッチ押え２９ｅが手載せ部１６ｂの通し孔１６ｉを通って前記サブスイッチ２９ｂのスイッチボタン２９ｆの上面に臨んでいる。サブスイッチ２９ｂは、例えば公知のマイクロスイッチであり、そのスイッチボタン２９ｆが、内部のバネ（図示せず）の弾性により外部に突出する方向に常時付勢されていてその状態で内部の接点が閉じている。従って、このスイッチボタン２９ｆが外部に突出しているとき電動打球槌１３は、他の条件の成立を条件に作動し、スイッチボタン２９ｆが下がればたとえ作動中でも停止する。
【００２７】
一時発射停止手段２９は以上のような構成であり、作動片２９ｃのボタン凸部２９ｄに力を加えない状態では作動片２９ｃの弾性によりスイッチ押え２９ｅがサブスイッチ２９ｂのスイッチボタン２９ｆ上に位置しており、この状態で電動打球槌１３は作動可能である。従って、この状態で前記したメインスイッチ２７がＯＮになる等、他の所定条件が整えば電動打球槌１３は作動する。
一方、電動打球槌１３が作動しているときに作動片２９ｃのボタン凸部２９ｄを指で押さえると、スイッチ押え２９ｅが下がってサブスイッチ２９ｂのスイッチボタン２９ｆが押し込まれ、そうするとたとえ作動中であっても電動打球槌１３は停止し、遊技球の発射が止まる。そして任意のタイミングでボタン凸部２９ｄから指を離すと、作動片２９ｃが自己の弾性により復動し、スイッチ押え２９ｅが上昇してサブスイッチ２９ｂのスイッチボタン２９ｆも上昇し、これによって電動打球槌１３が作動を再開する。
このように作動片２９ｃのボタン凸部２９ｄを遊技者自身が押圧・解放操作することにより、遊技球の発射を任意のタイミングで任意の時間一時的に停止させることができる。
【００２８】
なお、図８，図１０において１６ｊは前記作動片２９ｃの上面を覆うように手載せ部１６ｂに装着したカバー部材、１６ｋは該カバー部材１６ｊに設けた貫通長孔であり、該貫通長孔１６ｋから作動片２９ｃのボタン凸部２９ｄがカバー部材１６ｊの外に出る。このカバー部材１６ｊは導電構造のタッチスイッチになっており、該カバー部材１６ｊに遊技者の手が触れていることを検知し、手が触れている場合にのみ前記電動打球槌１３の作動を可能とする。
【００２９】
また、図８，図１０において１６ｍは手載せ部１６ｂの反サブスイッチ２９ｂ側の端部から下向きに突設した水平断面コ字状の配線支柱であり、該配線支柱１６ｍを操作基台１５の前記連通孔２３に差し込んでその先端を前記機構室１５ｄに臨ませると共に、その配線支柱１６ｍの中を通って前記サブスイッチ２９ｂの配線（図示せず）やカバー部材１６ｊのタッチスイッチの配線（図示せず）が機構室１５ｄに引き込まれる。
【００３０】
［発射力調節装置…操作部＋操作基台］
前記操作部１６は、底部１６ａの一端の軸基板１６ｅに突設した前記回動軸１６ｈを前記操作基台１５の軸孔２２に挿通し、一方、底部１６ａの他端に突設したＬ型屈曲片１６ｆを操作基台１５の弧状長孔２５に通した状態で操作基台１５の上面に設置されている。操作部１６は、前記のように指先を若干開いた状態の成人男性の片手でほぼ覆える程度の大きさであり、従って操作姿勢で前記操作基台１５の上面にも操作する手の一部が載る。
操作部１６は、図３に示したように、首振り回動の中心たる前記回動軸１６ｈ（＝軸孔２２）が遊技者寄りの位置に配置されると共に扇形の軌跡の円弧側が反遊技者側（前枠４の前面側）に向かう向きになっている。
【００３１】
操作基台１５の上面に操作部１６を設置した状態で、操作基台１５の軌道部２４の出っ張りと操作部１６の摺動部１６ｇの凹みが緩やかな嵌め合い状態で合わさっている。操作基台１５の軌道部２４と操作部１６の摺動部１６ｇは中心（回動軸１６ｈと軸孔２２）を同じくする平面視円弧形であるから、操作部１６は、操作基台１５の軌道部２４と摺動部１６ｇとが合わさったまま回動軸１６ｈ（＝軸孔２２）の中心を定点Ｐとしてその定点Ｐを中心に首振り回動可能である。
【００３２】
一方、操作部１６の底部１６ａの一端に下向き突設したＬ型屈曲片１６ｆは、前記軌道部２４や摺動部１６ｇと中心（回動軸１６ｈ、軸孔２２）を同じくする平面視円弧形の弧状長孔２５の中を移動するため、操作部１６の首振り回動を妨げない。さらにＬ型屈曲片１６ｆは、図１０の拡大図に示したように操作基台１５の弧状長孔２５の開口縁に内側から引っ掛かるように位置設定されており、このＬ型屈曲片１６ｆの引っ掛かりにより操作部１６の一端が浮き上がらないようになっている。なお、操作基台１５の弧状長孔２５の開口縁の下面沿いには下向きのリブ２５ａが突設されており、操作部１６のＬ型屈曲片１６ｆとの接触部をほぼ線状にして摩擦を低減し、もって操作部１６の軽やかな動きが妨げられないようにしてある。
【００３３】
また、Ｌ型屈曲片１６ｆは、操作部１６が最も遊技者側に近寄った図３実線の位置にあるとき、前記メインスイッチ２７の揺動レバー２８に作用して該メインスイッチ２７をＯＦＦにする。こうしてメインスイッチ２７がＯＦＦになると電動打球槌１３は作動せず、球発射部材９の発射動作は停止する。
従って本実施形態において、操作基台１５上での最も遊技者側に近寄った図３実線の操作部１６の位置が、球発射部材９の発射動作が停止するよう関連付けられた初期位置である。
【００３４】
［発射力調節装置…調節手段］
前記球発射部材９の発射力を強弱させる調節手段１７は、球発射部材９の前記ロータリーソレノイド１３ｂに印加するパルス状の電圧値を変更可能な可変抵抗器であり、図９に示したように、略円柱形を呈する抵抗器本体１７ａと、その抵抗器本体１７ａの中心から突出する調節軸１７ｂと、を有する。そして、前記操作基台１５の上面部材１５ａの裏側（下面）に、該上面部材１５ａにビス着されている支持部材３０を介して前記調節軸１７ｂを上向きにした状態で取り付けられている。なお、調節手段１７の抵抗器本体１７ａは、支持部材３０の下側に出っ張った状態になっているため、操作基台１５の底面部材１５ｃに長円形のカップ部１５ｅを設けてその中に抵抗器本体１７ａが収まるようになっている。
【００３５】
［発射力調節装置…調節手段＋操作部］
前記調節手段１７と前記操作部１６は、図４，図５，図９，図１０に示したように、略扇形の原動内歯車３１と、略扇形の従動平歯車３２との組み合わせである歯車伝動機構により連結されている。
【００３６】
前記原動内歯車３１は、前記操作基台１５の上面部材１５ａの裏側に沿う位置にあって前記操作部１６の回動軸１６ｈの下端にビスにより固着されており、従って操作部１６と一体に首振り回動可能である。この原動内歯車３１は、円周部分の周壁３１ａの内側に内歯車を構成する歯３１ｂ，３１ｂ…を有すると共に周壁３１ａの外側にフランジ片３１ｃを有し、該フランジ片３１ｃが、操作基台１５の上面部材１５ａに軸着されている回転ローラ３３の溝３３ａの間を通るようになっている。従って原動内歯車３１の重量バランスが扇形であるが故に周壁３１ａ側に偏っていても、回転ローラ３３の支えにより周壁３１ａ側が下がったりふらついたりするおそれがない。よって原動内歯車３１の首振り回動が安定する。
【００３７】
一方、従動平歯車３２は、前記原動内歯車３１の下に位置し、扇の中心相当部位に突設した下向きの軸筒部３２ａを前記調節手段１７の調節軸１７ｂの上端に被せた状態で固着されており、調節軸１７ｂと一体に回動する。該従動平歯車３２の外周には平歯車を構成する歯３２ｂ，３２ｂ…が形成されており、その歯３２ｂ，３２ｂ…と前記原動内歯車３１の歯３１ｂ，３１ｂ…が図４，図５に示したように噛み合っている。従って原動内歯車３１が操作部１６と一体に図４から図５のように首振り回動すると、その回動が原動内歯車３１から従動平歯車３２に伝わって調節軸１７ｂが回るため、調節手段１７の電気抵抗が変わる。
【００３８】
［発射力調節装置…操作部復動手段］  
前記操作部復動手段１８は、前記操作部１６を前記初期位置、すなわち前記球発射部材９の発射動作が停止するよう関連付けられた位置に向けて付勢するものであり、前記従動平歯車３２の軸筒部３２ａの外周に装着した捩りコイルバネ１８ａで構成されている。該捩りコイルバネ１８ａは、両端のバネ軸１８ｂ，１８ｃを従動平歯車３２の底面と前記支持部材３０に夫々係止させることにより、従動平歯車３２を図４，図５において反時計回りに付勢するようになっている。この捩りコイルバネ１８ａの付勢力が、従動平歯車３２から原動内歯車３１に伝わって操作部１６を初期位置に向かわせる回転力となる。従って操作部１６が遊技者によって初期位置から離れた位置に動かされても、遊技者が操作部１６から手を離せば、操作部復動手段１８の捩りコイルバネ１８ａの付勢により初期位置に自動的に復動する。
【００３９】
なお、実施形態の操作部復動手段１８は、上記のように捩りコイルバネ１８ａで構成したため、操作部１６から遊技者の手が離れた瞬間に勢いよく戻りすぎるおそれがある。そこで実施形態では、操作部１６の初期位置への復動が緩やかに行われるように緩衝手段１８ｄが設けてある。この緩衝手段１８ｄは、例えばオイルの粘性抵抗で制動力を発生させるようにした回転系のダンパーであり、ダンパー本体１８ｅを図１０に示したように前記支持部材３０の上面側に固着すると共に、ダンパー本体１８ｅの上部に突出させたピニオンギヤ１８ｆと前記従動平歯車３２の下面に形成した内歯車３２ｃとを噛合させ、もって操作部復動手段１８の捩りコイルバネ１８ａによって従動平歯車３２が初期位置に向かって復動するとき、オイルの粘性抵抗による制動力をピニオンギヤ１８ｆに作用させ、そうして操作部１６をゆっくりと復動させる。
【００４０】
［発射力調節装置…操作部浮揚付勢手段］
前記操作部浮揚付勢手段２０は、操作部１６の手載せ部１６ｂに遊技者の手が載っていないときに、図６（ａ）に示したように、操作部１６の底部１６ａを操作基台１５の上面から浮かせて隙間１９を形成するためのものである。
この操作部浮揚付勢手段２０は、図８に示したように、中央下面に二本の固定ピン２０ａ，２０ａを突設した固定主板２０ｂと、その固定主板２０ｂの両横に延設した弾性翼片２０ｃ，２０ｃと、該弾性翼片２０ｃの端部下面に突設した脚片２０ｄ，２０ｄと、を備え、前記固定ピン２０ａ，２０ａを操作部１６の底部１６ａに形成した受筒部１６ｎ，１６ｎに嵌合させて固定主板２０ｂを固定すると共に、弾性翼片２０ｃ，２０ｃの脚片２０ｄ，２０ｄを操作部１６の底部１６ａに開設した脚通孔１６ｐ，１６ｐから操作基台１５の上面（一対の軌道部２４，２４同士の間）に突出させ、そうして操作部１６の底部１６ａを操作基台１５の上面から浮かせるようにしたものである。このとき操作部１６は、操作部浮揚付勢手段２０の弾性翼片２０ｃ，２０ｃの弾性によって支えられているのであり、従って操作部浮揚付勢手段２０は、少なくとも操作部１６の重量を支えるに十分な強さを有する。
【００４１】
このように操作部１６が、操作部浮揚付勢手段２０の脚片２０ｄ，２０ｄで支えられている状態では、操作部浮揚付勢手段２０を潤滑性に優れた樹脂（例えばフッ素樹脂）で形成しておけば操作基台１５との摩擦抵抗を小さくすることができるから、前記操作部復動手段１８による操作部１６の復動が軽やかに行える効果がある。
また、そのような潤滑性に優れた樹脂で操作部浮揚付勢手段２０を形成しない場合でも、操作部１６の底部１６ａと操作基台１５の面同士の全面接触を回避することにより、操作部１６の底部１６ａや操作基台１５の汚れに起因する摩擦抵抗の増大の影響を受けにくくすることができるから、どちらにしても操作部復動手段１８による操作部１６の復動が軽やかに行える効果がある。
【００４２】
なお、上記のように操作部復動手段１８による操作部１６の復動が軽やかに行えるということは、操作部復動手段１８の捩りコイルバネ１８ａのばね定数を小さくすることができる、ということを意味するものであり、そうした場合には操作部１６の捩りコイルバネ１８ａの付勢に抗する方向（図３において実線位置から二点鎖線位置に回動させる方向）の操作が小さい力で行える効果、ひいては遊技者の疲労度を軽減させ得る効果にもつながる。
【００４３】
一方、操作部浮揚付勢手段２０は、操作部１６の手載せ部１６ｂに遊技者が手を載せた場合に、その手の重量の増加分に抗しきれない強さ、つまり前記弾性翼片２０ｃ，２０ｃが撓むように設定されている。従って操作部１６の手載せ部１６ｂに遊技者が手を載せると、前記のように操作部１６を支えていた操作部浮揚付勢手段２０の前記弾性翼片２０ｃ，２０ｃが撓んで図６（ｂ）のように固定主板２０ｂとともに操作部１６が下がり、操作部１６の底部１６ａと操作基台１５の上面とが接触する。そうすると操作部１６の底部１６ａと操作基台１５の上面とが全面で接触するため、前記操作部復動手段１８の付勢に抗して操作部１６を任意の位置に停止させておくことが容易になる。
【００４４】
［その他］
図９，図１０において、３４は操作基台１５の前記アール部２１に設けた振動ユニットである。該振動ユニット３４は、操作基台１５の内部に固定した基台３４ａと、その基台３４ａに上向きに取り付けた左右１対の支持スプリング３４ｂ，３４ｂと、その支持スプリング３４ｂ，３４ｂによって上下動可能に支持される振動部材３４ｃと、該振動部材３４ｃの上面に取り付けられ、操作基台１５の内側からアール部２１の上面に向けて突出するように形成した受け部３４ｄとからなる。
【００４５】
前記受け部３４ｄは、図３のように操作基台１５のアール部２１に沿う平面視円弧状であって、操作部１６の軸基板１６ｅの周りに突出していて、遊技者が操作部１６を操作する際に手の平の手首に近い部位が載るようになっている。
従って前記振動部材３４ｃを作動させることにより、振動ユニット３４の振動が受け部３４ｄを介して遊技者の手に伝わるから、例えば遊技の内容に合わせて振動部材３４ｃを適宜なタイミングで作動させれば、遊技の興趣を増大させることができ、或は振動により遊技者の手の疲れをほぐす用途に使用することもできる。なお、振動ユニット３４をマッサージ機的な用途に使用する場合は、遊技者が自由に操作可能なように遊技者向けの振動スイッチを設けるとよい。
【００４６】
［パチンコ機の使用方法］
次に、本発明のパチンコ機の使用方法について、発射力調節装置１０を中心に説明する。
遊技開始前のパチンコ機は、図１の状態であり、発射力調節装置１０の操作部１６が、図３のように操作部復動手段１８の付勢により遊技者側に最も近寄った初期位置にある。操作部１６が初期位置にある状態では、図３，図４のように操作部１６のＬ型屈曲片１６ｆと揺動レバー２８の作用により操作基台１５の内部に設けた前記メインスイッチ２７がＯＦＦになっていて、前記球発射部材９が停止している。そしてこのとき操作部１６は、図６（ａ）、図１０のように操作部浮揚付勢手段２０の弾性翼片２０ｃ，２０ｃの弾性により、操作基台１５の上面との間に隙間１９を保った状態で支えられている。
【００４７】
そこでこのパチンコ機で遊技を行う場合は、まず、前枠４の球皿６に遊技球を投入し、操作基台１５のアール部２１にある前記受け部３４ｄに右手の手の平の手首近くの部位を載せ、手の平と指を操作部１６の手載せ部１６ｂに載せる。このとき遊技者の例えば小指を含む右手の縁全体を操作基台１５の上面に載せるか、その逆に親指側を操作基台１５の上面に載せるか、或は親指と小指を操作基台１５の上面に載せ、手載せ部１６ｂには手の平と操作基台１５に載せた指以外の指を載せる。
【００４８】
なお、操作部１６に手を載せた段階で、その手の重みにより前記操作部浮揚付勢手段２０の弾性翼片２０ｃ，２０ｃが図６（ｂ）のように撓むため、操作部１６が下がって底部１６ａと操作基台１５の上面が接触する。また、操作部１６に載せた手がカバー部材１６ｊに触れるため、カバー部材１６ｊのタッチスイッチがＯＮになる。
【００４９】
次に、操作する右手を、主として手首を中心に図３において時計回りに動かして操作部１６に力を加えると、操作部１６が定点Ｐたる回動軸１６ｈを中心に回動する。操作部１６のこの回動により図５のようにＬ型屈曲片１６ｆが揺動レバー２８から離れるため、メインスイッチ２７のスイッチ片２７ａが押圧から解放され、メインスイッチ２７がＯＮになる。これにより球発射部材９の電動打球槌１３が打球動作を開始する。
【００５０】
なお、通常、球皿６に投入された遊技球は、球発射部材９の電動打球槌１３と連動する球供給装置（図示せず）によって発射レール１２の発射部の手前で止められており、電動打球槌１３が打球動作を開始すると、その動きに連動して１個ずつ発射レール１２の発射部に供給される。
【００５１】
一方、操作部１６の回動は、回動軸１６ｈから原動内歯車３１と従動平歯車３２を経て調節手段１７の調節軸１７ｂに歯車伝動機構のギヤ比に従い伝わるから、操作部１６の回動量に応じて調節軸１７ｂが回転し、可変抵抗器の電気抵抗が変化する。これにより電動打球槌１３のロータリーソレノイド１３ｂに加わる電圧が変化し、槌本体１３ｄの打撃力が変化する。従って遊技者は、打撃力が狙った強さになったとき、その位置で操作部１６を止めればよい。
【００５２】
次に、遊技球を発射している状態で、遊技球の発射を一時的に停止させたい場合は、操作部１６の手載せ部１６ｂに突出しているボタン凸部２９ｄを例えば右手人差し指で押す。そうすると操作部１６の中にあるサブスイッチ２９ｂがＯＦＦとなり、その間、電動打球槌１３が停止する。そして、適宜なタイミングでボタン凸部２９ｄから指を離すと、前記サブスイッチ２９ｂがＯＮとなり、電動打球槌１３の作動が再開する。その間、操作部１６を動かさなかった場合には、停止前と同じ打撃力で再開できる。
【００５３】
次に、遊技中に遊技者が操作部１６から完全に手を離すと、まず操作部１６のカバー部材１６ｊのタッチスイッチがＯＦＦになるからその時点で電動打球槌１３が停止し、それと同時に操作部１６の底部１６ａから操作部浮揚付勢手段２０の脚片２０ｄが突出して操作部１６の底部１６ａが操作基台１５の上面から離れる。そして、操作部復動手段１８の捩りコイルバネ１８ａの付勢と緩衝手段１８ｄの働きにより操作部１６が初期位置に緩やかに復動し、操作部１６のＬ型屈曲片１６ｆが揺動レバー２８に当たってメインスイッチ２７がＯＦＦとなる。
【００５４】
ところで、従来より、例えば図１３の従来例のハンドルグリップ１０２と、打球発射調整操作用のダイヤル１０３との間に硬貨又はそれに類する異物を挟み込んで該ダイヤル１０３を固定し、そうして打撃力の調節を楽にしようとする遊技者がいる。そのような遊技者の身勝手な行為は、ハンドルグリップ１０２とダイヤル１０３の間の、言わば固定部と回動部の間に無理矢理硬貨等を差し込んで発射力調節装置１０の一部を損壊させる不当なものであり、被害者たる遊技場側から有効な対策が望まれていた。
【００５５】
これに対し実施形態の発射力調節装置１０は、前記のように操作基台１５の軌道部２４と操作部１６の底部１６ａの摺動部１６ｇとを整合させて両者の接触面を非直線状にすることにより、円板状の硬貨等が差し込めないようにしたものである。よって遊技者が操作部１６と操作基台１５の間に硬貨等を差し込もうとする不当な行為を未然に防止することができる。
【００５６】
なお、実施形態のように操作基台１５の軌道部２４を凸状に盛り上げた山形態とし、操作部１６の摺動部１６ｇを凹状に掘り下げた溝形態とする組み合わせは、逆に軌道部２４を凹状に掘り下げた溝形態とし、摺動部１６ｇを凸状に盛り上げた溝形態とする組み合わせと実質同義である。また、軌道部２４と摺動部１６ｇの本数は、実施形態のような複数の他、単数でもよい。軌道部２４と摺動部１６ｇを単数にする場合、実施形態の最小径の軌道部２４から最大径の軌道部２４に渡る幅か又はこれより若干小さい幅の湾曲形にするのがよい。このような単数の軌道部２４と摺動部１６ｇの組み合わせであっても接触面が湾曲していれば円板状の硬貨等は差し込めない。
【００５７】
以上、本発明を実施の形態について説明したが、もちろん本発明は上記実施形
態に限定されるものではない。例えば実施形態では、弾球遊技機の一例として遊技球を球皿６に投入して遊技を行うパチンコ機を例示したが、遊技球を機内で循環させるいわゆる封入式のパチンコ機や、雀球式の弾球遊技機などでも同様に適用できる。
【００５８】
また、実施形態では、操作部１６の手載せ部１６ｂのカバー部材１６ｊにタッチスイッチを設けたが、例えば図８の二点鎖線に示したように操作部１６の手載せ部１６ｂの両側面にタッチスイッチ３５を設けても良い。
【００５９】
また、実施形態では、操作部１６の首振り回動の中心となる定点Ｐを操作基台１５上に設定したが、該定点Ｐを操作基台１５の外に設定してもよい。図１１はその実施形態を示したものであり、操作基台１５の内部に前記定点Ｐを中心とする大径と小径の弧状レール３６，３６を二本設置すると共に操作部１６に前記弧状レール３６，３６に接して転がり得るローラ３７，３７…を設けてある。この場合、操作部１６は、二本の弧状レール３６，３６に沿って動くため、弧状レール３６，３６の円弧の中心たる定点Ｐを中心とする首振り回動になる。
【００６０】
斯かる実施形態は、操作基台１５を大きくしなくとも、操作部１６の首振り回動の中心となる定点Ｐを遊技者の手首近くに設定することができ、その結果、操作部１６の動きと、操作する手の動きとを近似させることができるから、無理のない楽な姿勢で遊技が行える本発明の効果をさらに高めることができる。
【００６１】
また、実施形態では、球発射部材９の槌本体１３ｄを動かす駆動源としてロータリーソレノイド１３ｂを採用し、一方、発射力調整装置１０の調節手段１７として前記ロータリーソレノイド１３ｂの出力を加減する可変抵抗器を採用したが、例えば図１２に示したように、球発射部材９の槌本体１３ｄを動かす駆動源として電動モータ１３ｆと牽引用バネ（図示せず）を採用し、一方、発射力調節装置１０の調節手段１７として槌本体１３ｄ牽引用の前記バネの張力を加減する公知の方式を採用することもできる。
【００６２】
すなわち、図１２において、１７ｃは操作部１６の前記回動軸１６ｈに固定した原動傘歯車、１７ｄはその原動傘歯車１７ｃに噛合する従動傘歯車、１７ｅは該従動傘歯車１７ｄと一体に回転するハンドル軸、１７ｆは該ハンドル軸１７ｅの端部に固定したプーリ、１７ｇはそのプーリ１７ｆに巻き付くワイヤー、３７は槌本体１３ｄを打ち出し方向に付勢するバネユニット、１３ｇは前記電動モータ１３ｆの出力軸に固着され槌本体１３ｄに係合して該槌本体１３ｄを反・打ち出し方向に傾動させるカム板である。
【００６３】
この場合の電動打球槌１３は、前記電動モータ１３ｆが作動してカム板１３ｇが一定方向に回転し、そのカム板１３ｇの回転で槌本体１３ｄがバネユニット３７の付勢に抗して反打ち出し方向（図２の破線から二点鎖線の方向）に傾動し、カム板１３ｇが槌本体１３ｄから外れた瞬間にバネユニット３７の付勢で槌本体１３ｄが勢いよく復動して発射レール１２の発射部にある遊技球を打ち出す、というものである。
【００６４】
一方、図１２に示した実施形態の調節手段１７は、定点Ｐたる回動軸１６ｈを中心として操作部１６を図１２二点鎖線の方向に回動させると、原動傘歯車１７ｃと従動傘歯車１７ｄとハンドル軸１７ｅを介してプーリ１７ｆが回転し、そのプーリ１７ｆに巻き付けたワイヤー１７ｇの引張りでバネユニット３７に内蔵したバネの張力が強まって槌本体１３ｄの発射力を強くすることができる。なお、図１２の実施形態において、操作部１６を初期位置に復動させる操作部復動手段１８は、前記バネユニット３７、ワイヤー１７ｇ、プーリ１７ｆ、ハンドル軸１７ｅ、従動傘歯車１７ｄ、原動傘歯車１７ｃで構成される。
【００６５】
以上、図１２の実施形態は、操作部１６と電動打球槌１３を機械式に連結した一例であり、図示した組み合わせ以外の歯車伝動機構はもちろん、ベルトやチェーンなどの巻掛け伝動機構を採用してもよい。
【００６６】
ところで、ここまでの説明には次のような技術的思想も含まれる。
【００６７】
［技術的思想Ａ］
遊技板の遊技領域に向けて遊技球を発射させる球発射部材と、該球発射部材の発射力の強弱を調節する発射力調節装置と、を有する弾球遊技機において、
前記発射力調節装置は、
機前の下方から遊技者側に向けてほぼ水平に突設した操作基台と、
該操作基台の上面に位置し、定点を中心としたほぼ扇形の軌跡を描く状態で首振り回動可能な操作部と、
該操作部の前記首振り回動によって前記球発射部材の発射力を強弱させ得る調節手段と、を備え、
前記操作部は、
前記操作基台の上面に対向する底部と、その底部上にあって遊技者が手を載せ置くための手載せ部とを有し、首振り回動の中心たる前記定点を遊技者側に配置すると共に扇形の軌跡の円弧側が反遊技者側に向かうように向きを設定し、さらに遊技者が前記手載せ部に片手を載せた操作姿勢で前記操作基台の上面にもその手の一部が載り得る大きさであることを特徴とする弾球遊技機。
【００６８】
［技術的思想Ａが解決しようとする課題］
上記特許文献１の発射力調節装置は、ハンドルグリップ１０２の上に手の平を載せ、その周面に指を沿わせると共に親指を前記ダイヤル１０３に掛け、その姿勢のまま手の平を回転させつつ親指を動かして打撃力の強弱を調節する。打球発射調整操作用のダイヤル１０３はハンドルグリップ１０２の中心軸を中心として回転するが、操作する手は手首や指の関節を中心に動くにすぎず、従ってダイヤル１０３の操作は、あたかも水道の止水ハンドルを捻るがごときで、若干不自然な姿勢にならざるをえない。もちろんそのような不自然さは前記ダイヤル１０３の操作を困難にするほどのものではないが、その姿勢を長時間継続すると疲れやすい。
【００６９】
技術的思想Ａは上記に鑑みなされたもので、その目的は、長時間の遊技にも疲れにくい発射力調節装置を備えた弾球遊技機を提供することにある。
【００７０】
［技術的思想Ａの効果］
上記弾球遊技機の発射力調節装置は、首振り回動の中心たる定点を遊技者側に配置すると共に扇形の軌跡の円弧側が反遊技者側に向かうように向きを設定して操作部を操作基台の上に設置したから、遊技者が操作基台の定点近くに手首を載せて手を動かす動きと、操作部の動きがほぼ一致するため、操作部を操作する姿勢が自然で疲れにくい。
また、遊技者が前記操作部の手載せ部に片手を載せた操作姿勢で前記操作基台の上面にもその手の一部を載せることができるため、操作部を任意の位置に固定するのに操作基台を支えにすることができるから、長時間同じ姿勢を続けても疲れにくい。
よって、技術的思想Ａの弾球遊技機の発射力調節装置は、操作部を任意の位置に片手で固定しつつ行う長時間の遊技にも疲れにくい。
【００７１】
［技術的思想Ｂ］
遊技板の遊技領域に向けて遊技球を発射させる球発射部材と、該球発射部材の発射力の強弱を調節する発射力調節装置と、を有する弾球遊技機において、
前記発射力調節装置は、機前の下方から遊技者側に向けてほぼ水平に突設した操作基台と、該操作基台の上面に位置し、定点を中心としたほぼ扇形の軌跡を描く状態で首振り回動可能な操作部と、該操作部の前記首振り回動によって前記球発射部材の発射力を強弱させ得る調節手段と、を備え、
前記操作基台は、その上面に前記定点を中心とする平面視円弧形で凸状に盛り上げるか又は凹状に掘り下げた形態の単数又は複数の軌道部を有し、
前記操作部は、前記操作基台の上面に対向する底部と、その底部上にあって遊技者が手の平を載せ置くための手載せ部とを有し、さらに前記底部に前記操作基台の軌道部に合わさって摺動可能な凹状又は凸状の摺動部を有し、
前記操作基台の軌道部と操作部の摺動部とが合わさった状態で該操作部が前記定点を中心に首振り回動し得るものであることを特徴とする弾球遊技機。
【００７２】
［技術的思想Ｂの目的］
上記技術的思想Ｂの目的は、発射力調節装置に対する硬貨等を用いた遊技者の不当な行為を未然に防止可能な弾球遊技機を提供することにある。
【００７３】
［技術的思想Ｃ］
遊技板の遊技領域に向けて遊技球を発射させる球発射部材と、該球発射部材の発射力の強弱を調節する発射力調節装置と、を有する弾球遊技機において、
前記発射力調節装置は、
機前の下方から遊技者側に向けてほぼ水平に突設した操作基台と、
該操作基台の上面に対向する底部とその底部上にあって遊技者が手の平を載せ置くための手載せ部とを有し、定点を中心としたほぼ扇形の軌跡を描く状態で首振り回動可能な操作部と、
該操作部の首振り回動によって前記球発射部材の発射力を強弱させ得る調節手段と、
前記操作部を前記球発射部材の発射動作が停止するよう関連付けられた初期位置に向けて付勢する操作部復動手段と、
前記操作部の底部を前記操作基台の上面から浮かせて底部との間に隙間を形成することが可能な下限の強さと、前記手載せ部に載せた遊技者の手の重量の増加分に抗しきれない上限の強さの付勢力を備えた操作部浮揚付勢手段と、を備え、
遊技者が前記操作部に手を載せ置いた遊技時の状態では操作部の自重と遊技者の手の重量によって操作部の底部と操作基台の上面とが接触し、遊技者が操作部から手を離した状態では操作部浮揚付勢手段の作用により操作部の底部と操作基台の上面との間に隙間が形成され、その状態で前記操作部復動手段により操作部が前記初期位置に復動するようになっていることを特徴とする弾球遊技機。
【図面の簡単な説明】
【００７４】
【図１】パチンコ機の斜視図である。
【図２】パチンコ機の要部を示す部分正面図である。
【図３】発射力調節装置と球発射部材を示すためのパチンコ機の要部水平断面図である。
【図４】操作基台の高さの中間を通る部位で切断したパチンコ機の要部水平断面図である。
【図５】図４の状態から操作部を回動させた状態を示すパチンコ機の要部水平断面図である。
【図６】（ａ），（ｂ）は操作部浮揚付勢手段を説明するためのもので操作部と操作基台の要部を示す縦断面図である。
【図７】発射力調節装置の分解斜視図である。
【図８】操作部の分解斜視図である。
【図９】操作基台内部の部品を示す分解斜視図である。
【図１０】図３のＡ−Ａ線断面図である。
【図１１】他の形態を示すパチンコ機の要部水平断面図である。
【図１２】他の形態を示すパチンコ機の要部水平断面図である。
【図１３】従来技術を示すパチンコ機の要部斜視図である。
【符号の説明】
【００７５】
Ｐ …定点
１ …パチンコ機（弾球遊技機）
９ …球発射部材
１０ …発射力調節装置
１５ …操作基台
１６ …操作部
１６ａ …底部
１６ｂ …手載せ部
１７ …調節手段
１８ …操作部復動手段
１９ …隙間
２０ …操作部浮揚付勢手段
【図１】
2010063555.tif 000003
【図２】
2010063555.tif 000004
【図３】
2010063555.tif 000005
【図４】
2010063555.tif 000006
【図５】
2010063555.tif 000007
【図６】
2010063555.tif 000008
【図７】
2010063555.tif 000009
【図８】
2010063555.tif 000010
【図９】
2010063555.tif 000011
【図１０】
2010063555.tif 000012
【図１１】
2010063555.tif 000013
【図１２】
2010063555.tif 000014
【図１３】
2010063555.tif 000015